(57)【要約】【課題】電子マネーとしての機能を有する種々の無線通信装置を用いて、遊技媒体の貸し出しを行えるようにする。【解決手段】遊技媒体貸出装置４は、アンテナ５０１を介して、無線通信装置６と無線通信を行った結果に基づいて、遊技球を貸し出す。このアンテナ５０１は、カード挿入口５０２に挿入された無線通信装置６（非接触ＩＣカード６Ａ）や、ホルダー５０３内に置かれた無線通信装置６と無線通信を行うだけでなく、無線通信部４０３の側面（アンテナ５０１の通信範囲）に翳された無線通信装置６とも無線通信を行う。【選択図】図６
2008220697.tif 000002
【特許請求の範囲】
【請求項１】
電子マネーとしての機能を有する無線通信装置を保持する保持手段と、
前記無線通信装置が前記保持手段により保持された場合には、その無線通信装置と無線通信を行い、前記無線通信装置が通信範囲に翳された場合には、その無線通信装置と無線通信を行うアンテナと、
前記アンテナを介した無線通信の結果に基づいて、遊技媒体を貸し出す遊技媒体貸し出し手段とを有し、
前記保持手段により保持された無線通信装置と無線通信を行うアンテナと、前記通信範囲に翳された無線通信装置と無線通信を行うアンテナとを共用したことを特徴とする遊技媒体貸出装置。
【請求項２】
遊技機の横に取り付けられたときに露出する前面に突出部を有し、
前記保持手段と前記アンテナは、前記突出部に設けられていることを特徴とする請求項１に記載の遊技媒体貸出装置。
【請求項３】
遊技機の横に取り付けられた場合に、その遊技機の前面に設けられている扉が、その最大回動角度で回動しても、前記扉に設けられているガラス板と、前記突出部とが接触しないことを特徴とする請求項２に記載の遊技媒体貸出装置。
【請求項４】
前記保持手段は、前記無線通信装置が内部に挿入される挿入手段を有し、
前記挿入手段により挿入された無線通信装置と、前記アンテナとが、内部で互いに対向するようにして配置されることを特徴とする請求項１〜３の何れか１項に記載の遊技媒体貸出装置。
【請求項５】
遊技者により操作入力が行われる操作手段と、
前記保持手段により保持された無線通信装置を、遊技者による前記操作手段の操作入力に基づいて、取り外し不能状態にする取り外し不能手段と、
前記取り外し不能手段によりなされた取り外し不能状態を、遊技者による前記操作手段の操作入力に基づいて解除する取り外し不能状態解除手段とを有することを特徴とする請求項１〜４の何れか１項に記載の遊技媒体貸出装置。
【発明の詳細な説明】
【技術分野】
【０００１】
本発明は、遊技媒体貸出装置に関し、特に、遊技媒体を貸し出すために用いて好適なものである。
【背景技術】
【０００２】
近年、電子マネーとしての機能を有するＩＣチップを備えた非接触ＩＣカードが普及しつつある。そこで、特許文献１では、２つのＩＣカードを個別に保持する２つのカードフォルダと、それら２つのカードフォルダ毎に設けられた専用のアンテナとを有し、カードフォルダで保持されたＩＣカードとアンテナとが通信を行った結果に応じて、遊技媒体を貸し出すようにする遊技媒体貸出装置が提案されている。
【０００３】
【特許文献１】特開２００５−８１０００号公報
【発明の開示】
【発明が解決しようとする課題】
【０００４】
ところで、近年は、前述した非接触ＩＣカードだけでなく、非接触ＩＣカードと同等の機能を有する携帯電話等も普及しつつある。そこで、遊技媒体貸出装置においても、非接触ＩＣカードに加え、その非接触ＩＣカードと同等の機能を有する携帯電話等を用いて、遊技媒体の貸し出しを行えるようにすることが望まれる。
【０００５】
しかしながら、従来の技術では、カードフォルダとアンテナとを設けているだけである。したがって、非接触ＩＣカードのようなカード状の記憶媒体でしか、遊技媒体の貸し出しを行うことができないという問題点があった。
本発明はこのような問題点に鑑みてなされたものであり、電子マネーとしての機能を有する種々の無線通信装置を用いて、遊技媒体の貸し出しを行えるようにすることを目的とする。
【課題を解決するための手段】
【０００６】
かかる目的を達成するために、請求項１に記載の発明は、電子マネーとしての機能を有する無線通信装置を保持する保持手段と、前記無線通信装置が前記保持手段により保持された場合には、その無線通信装置と無線通信を行い、前記無線通信装置が通信範囲に翳された場合には、その無線通信装置と無線通信を行うアンテナと、前記アンテナを介した無線通信の結果に基づいて、遊技媒体を貸し出す遊技媒体貸し出し手段とを有し、前記保持手段により保持された無線通信装置と無線通信を行うアンテナと、前記通信範囲に翳された無線通信装置と無線通信を行うアンテナとを共用したことを特徴とする。
かかる構成では、遊技媒体貸出装置は、保持手段により保持された無線通信装置や、通信範囲に翳された無線通信装置と無線通信を行って、遊技媒体を貸し出すための処理を行う。したがって、保持手段に無線通信装置を保持させるだけでなく、通信範囲に無線通信装置を翳すことによっても、遊技媒体の貸し出しが可能になる。よって、電子マネーとしての機能を有する種々の無線通信装置を用いて、遊技媒体の貸し出しを行うことが可能になる。そして、保持手段により保持された無線通信装置と無線通信を行うアンテナと、通信範囲に翳された無線通信装置と無線通信を行うアンテナとを共用することにより、遊技媒体貸出装置の省スペース化を図ることができる。また、保持手段により無線通信装置を保持させておけば、遊技者は、遊技媒体の貸し出し操作を行う度に、無線通信装置を取り出す必要がなくなる。一方、通信範囲に無線通信装置を翳すようにすれば、遊技者は、無線通信装置の置き忘れを防止することができる。よって、遊技者は、自己に都合に応じて、無線通信装置を保持手段により保持させるか、通信範囲に翳すかを選択することができる。
【０００７】
また、請求項２に記載の発明は、遊技機の横に取り付けられたときに露出する前面に突出部を有し、前記保持手段と前記アンテナは、前記突出部に設けられていることを特徴とする。
かかる構成では、遊技機の横に取り付けられたときに露出する前面の突出部に設けられた保持手段により無線通信装置が保持されると、その保持された無線通信装置と、アンテナとが無線通信を行う。また、突出部に無線通信装置が翳されると、その翳された無線通信装置と、アンテナとが無線通信を行う。したがって、遊技媒体貸出装置をシンプルな構造にすることができると共に、遊技者が扱いやすい構造にすることができる。
【０００８】
また、請求項３に記載の発明は、遊技機の横に取り付けられた場合に、その遊技機の前面に設けられている扉が、その最大回動角度で回動しても、前記扉に設けられているガラス板と、前記突出部とが接触しないことを特徴とする。
かかる構成では、遊技機の扉に設けられているガラス板が突出部と接触して破損してしまうことを防止することができる。
【０００９】
また、請求項４に記載の発明は、前記保持手段は、前記無線通信装置が内部に挿入される挿入手段を有し、前記挿入手段により挿入された無線通信装置と、前記アンテナとが、内部で互いに対向するようにして配置されることを特徴とする。
かかる構成では、無線通信装置が内部に挿入されると、遊技媒体貸出装置は、挿入された無線通信装置と内部で無線通信を行う。したがって、遊技媒体貸出装置は、無線通信装置との無線通信をより安定して行うことができる。
【００１０】
また、請求項５に記載の発明は、遊技者により操作入力が行われる操作手段と、前記保持手段により保持された無線通信装置を、遊技者による前記操作手段の操作入力に基づいて、取り外し不能状態にする取り外し不能手段と、前記取り外し不能手段によりなされた取り外し不能状態を、遊技者による前記操作手段の操作入力に基づいて解除する取り外し不能状態解除手段とを有することを特徴とする。
かかる構成では、保持手段により保持された無線通信装置を取り外し不能状態にしたり、その無線通信装置の取り外し不能状態を解除したりすることを、遊技者による操作入力に基づいて行う。したがって、無線通信装置の盗難を防止することができる。
【発明の効果】
【００１１】
本発明によれば、保持手段に無線通信装置を保持させるだけでなく、通信範囲に無線通信装置を翳すことによっても、遊技媒体の貸し出しが可能になるので、電子マネーとしての機能を有する種々の無線通信装置を用いて、遊技媒体の貸し出しを行うことが可能になる。さらに、保持手段により保持された無線通信装置と無線通信を行うアンテナと、通信範囲に翳された無線通信装置と無線通信を行うアンテナとを共用するようにしたので、遊技媒体貸出装置の省スペース化を図ることができ、遊技媒体貸し出し装置をシンプルな構成にすることができる。
【発明を実施するための最良の形態】
【００１２】
以下、図面を参照しながら、本発明の一実施形態を詳細に説明する。
図１は、遊技システムの構成の一例を示す図である。尚、本実施形態では、遊技機の一例として、所謂第一種パチンコ機を例に挙げると共に、遊技媒体の一例として遊技球を例に挙げて説明する。
図１において、遊技システムは、センタサーバ１と、ネットワーク２と、店舗サーバ３ａ〜３ｃと、遊技機１００ａ〜１００ｉと、遊技媒体貸出装置４ａ〜４ｉとを有している。尚、ネットワーク２は、例えばインターネットやＷＡＮ等である。また、ネットワーク２には、遊技システム内で使用された電子マネーの入金や出金を管理するシステム（電子マネーを運営する会社が構築しているシステム）が接続（構築）されている。
【００１３】
センタサーバ１は、ネットワーク２を介して、各店舗５ａ〜５ｃに１台ずつ設置されている店舗サーバ３ａ〜３ｃと通信を行う。店舗サーバ３ａ〜３ｃは、自身が設置されている店舗（遊技店）５ａ〜５ｃ内の遊技機１００ａ〜１００ｉ及び遊技媒体貸出装置４ａ〜４ｉと、ＬＡＮケーブル等の通信ケーブルを介して通信を行う。遊技媒体貸出装置４ａ〜４ｉは、対応する遊技機１００ａ〜１００ｉに遊技球を貸し出すものであり、遊技機１００ａ〜１００ｉと、通信ケーブルを介して通信を行う。
【００１４】
遊技者は、ＩＣチップを搭載した携帯電話や非接触ＩＣカードのような無線通信装置６を持参して店舗（遊技店）５に出向く。この無線通信装置６は、所謂電子マネーとしての機能を有している。遊技者は、遊技したい遊技機１００に対応して設けられている遊技媒体貸出装置４の通信範囲に、持参した無線通信装置６を翳す等して、遊技媒体貸出装置４と無線通信装置６の間で無線通信を行わせる。無線通信装置６と無線通信を行った遊技媒体貸出装置４は、自身が属する店舗５内にある店舗サーバ３と通信を行って、その無線通信装置６における電子マネーの機能を使用して遊技球を貸し出してよいかどうかを判定し、遊技球を貸し出してよい場合に、遊技球を貸し出す。
【００１５】
このようにして遊技球を貸し出してよいかどうかを判定するために、店舗サーバ３は、自身が属する店舗５内にある遊技媒体貸出装置４から、その遊技媒体貸出装置４と無線通信を行った無線通信装置６の情報を取得して管理すると共に、その無線通信装置６の情報をセンタサーバ１に送信する。そして、センタサーバ１は、各店舗５ａ〜５ｃ内の店舗サーバ３から、無線通信装置６の情報を取得して管理する。
【００１６】
このように、本実施形態では、店舗サーバ３が、自身が属する店舗５内にある無線通信装置６の情報を一括して管理することで、遊技者が、同一の店舗５内で遊技を行う遊技機１００を変えた場合でも、無線通信装置６による遊技球の貸し出しを適切に制限することができるようにしている。また、センタサーバ１が、遊技システムに属する全ての店舗５ａ〜５ｃ内にある無線通信装置６の情報を一括して管理することで、遊技者が、異なる店舗５で遊技を行った場合でも、無線通信装置６による遊技球の貸し出しを適切に制限することができるようにしている。
以下に、遊技システムにおける各構成を詳細に説明する。
【００１７】
（遊技機のハードウェアの構成）
図２は、本実施形態の遊技機の外観構成の一例を示す正面図である。
図２において、遊技機（パチンコ機）１００は、遊技盤面を構成する遊技盤（ゲージ盤）と、遊技盤を支持固定する遊技機枠とを備えて構成される。
遊技機枠は、外枠１２４、前枠１２５、透明板１２６、扉１２７、及び球皿ユニット１２８を備えている。
外枠１２４は、開口部分を有し、遊技機１００を設置すべき位置に固定するための枠体である。前枠１２５は、外枠１２４の開口部分に整合する枠体であり、ヒンジ機構等により、外枠１２４へ開閉自在となるように取り付けられる。
【００１８】
また、前枠１２５は、遊技球を発射させるための機構や、遊技盤を着脱可能に収容させるための機構や、遊技球を誘導又は回収するための機構等を有する。
透明板１２６は、遊技盤を保護するためのものであり、例えば透明なガラス板である。遊技者は、この透明板１２６を介して、遊技盤の遊技領域を透視しながら遊技を行う。
扉１２７は、透明板１２６を支持するためのものであり、ヒンジ機構等により、前枠１２５へ開閉自在となるように取り付けられる。
【００１９】
球皿ユニット１２８は、前枠１２５の下方に設けられており、遊技球（貸球及び賞球）を一定量貯留する球皿１２８ａ等を有する。
球貸出ボタン１３４は、後述するようにして、遊技者が所有する無線通信装置（非接触ＩＣカードや携帯電話等）６と遊技媒体貸出装置４との無線通信が開始した後（例えば無線通信を行っている間）に、遊技者が操作するためのものである。この球貸出ボタン１３４の操作によって、遊技者は、遊技球の貸し出しを指示することができる。
【００２０】
（遊技媒体貸出装置のハードウェアの構成）
図３は、遊技媒体貸出装置４の外観構成の一例を示す正面図である。具体的に、図３では、図１に示したようにして遊技機１００の横に取り付けられた場合に露出する前面の外観構成を示している。尚、以下の説明では、遊技機１００の横に取り付けられた場合に露出する前面を、必要に応じて、遊技媒体貸出装置４の前面と称する。
【００２１】
図３において、遊技媒体貸出装置４は、ランプ４０１と、紙幣投入口４０２と、無線通信部４０３と、表示装置４０４と、テンキー４０５と、ノズル部４０６とを有している。
ランプ４０１は、後述するようにして、無線通信装置６による遊技球の貸し出しを行えないと遊技媒体貸出装置４が判定した場合に所定の発光動作を行い、無線通信装置６による遊技球の貸し出しを行えないことを遊技者に報知するためのものである。尚、ランプ４０１は、この他にも遊技媒体貸出装置４における動作状態等を報知するための発光動作を行う。
【００２２】
紙幣投入口４０２は、現金（紙幣）で遊技球の貸し出しを行いたい場合に、遊技者が、紙幣を投入する部分である。尚、本実施形態では、遊技球の貸し出し単位に応じた金額を、１０００円としている。よって、本実施形態では、１０００円札が紙幣投入口４０２に投入された場合に、１０００円に応じた数の遊技球を自動的に貸し出すようにしている。
【００２３】
テンキー４０５は、遊技者により操作されるものであり、種々の数値情報を入力することができる。本実施形態では、遊技者は、テンキー４０５を操作することによって、自身が所有している無線通信装置６の暗証番号を入力するようにしている。
表示装置４０４は、例えば液晶表示装置を備えており、種々の画像情報を表示する。例えば、表示装置４０４は、テンキー４０５の操作によって暗証番号が入力されると、その暗証番号を「＊」で表示することができる。この他、表示装置４０４は、例えば、テンキー４０５の操作等に基づいて、遊技媒体貸出装置４に対応する遊技機１００の遊技状態（例えば前回の「大当たり」からの遊技回数）に関する画像情報を表示したり、店舗５で行われるイベントを告知するための画像情報を表示したりすることもできる。
ノズル部４０６は、遊技媒体貸出装置４から貸し出された遊技球を、球皿ユニット１２８に設けられた球皿１２８ａに案内するためのものである。
【００２４】
無線通信部４０３は、遊技媒体貸出装置４の前面に形成された突出部に設けられている。図４は、遊技媒体貸出装置４に設けられた無線通信部４０３の外観構成の一例を示す斜視図であり、図４（ａ）は、無線通信装置６の一例である非接触ＩＣカード６Ａが挿入されていないときの外観構成を示し、図４（ｂ）は、無線通信装置６の一例である非接触ＩＣカード６Ａが挿入されたときの外観構成を示す。
【００２５】
図４（ａ）において、無線通信部４０３の内部には、無線通信装置６と無線通信を行うためのアンテナ５０１が設けられている。また、無線通信部４０３の所定の領域には、無線通信装置６の一種である非接触ＩＣカード６Ａが挿入されるカード挿入口５０２が形成されている。カード挿入口５０２に非接触ＩＣカード６Ａが挿入されると、挿入された非接触ＩＣカード６Ａに設けられたアンテナと、アンテナ５０１とが、無線通信部４０３の内部で概ね対向する位置に配置される。この状態で、挿入された非接触ＩＣカード６Ａに設けられたアンテナと、アンテナ５０１とに電力が供給されると、遊技媒体貸出装置４と非接触ＩＣカード６Ａとの間で無線通信が行われる。
【００２６】
無線通信部４０３は、アンテナ５０１が設けられている側と反対側の側面（遊技媒体貸出装置４に対応する遊技機１００がある方の側面（図３を参照））に、ホルダー５０３を有している。このホルダー５０３内に、無線通信装置６の一種である携帯電話６Ｂや非接触ＩＣカード６Ａが置かれると、置かれた携帯電話６Ｂや非接触ＩＣカード６Ａと、遊技媒体貸出装置４とが無線通信を行うことができる。
更に、本実施形態では、無線通信部４０３の側面（アンテナ５０１の通信範囲）に、携帯電話６Ｂや非接触ＩＣカード６Ａが翳された場合にも、携帯電話６Ｂや非接触ＩＣカード６Ａと、遊技媒体貸出装置４とが無線通信を行うことができるようにしている。
以上のように本実施形態では、カード挿入口５０２に挿入された非接触ＩＣカード６Ａ及びホルダー５０３内に置かれた携帯電話６Ｂや非接触ＩＣカード６Ａと通信を行うアンテナと、無線通信部４０３の側面（アンテナ５０１の通信範囲）に翳された携帯電話６Ｂや非接触ＩＣカード６Ａと通信を行うアンテナとを共用するようにしている。
【００２７】
尚、本実施形態において、無線通信部４０３は、ある無線通信装置６と無線通信を行っているときには、その他の無線通信装置６とは無線通信を行わないようにしている。すなわち、無線通信部４０３は、同時に複数の無線通信装置６と無線通信を行うことができないようにしている。
【００２８】
また、本実施形態では、図４（ｂ）に示すように、カード挿入口５０２に挿入された場合に、非接触ＩＣカード６Ａの一部が、カード挿入口５０２からはみ出る（露出する）ようにすると共に、カード挿入口５０２に挿入された非接触ＩＣカード６Ａを外部から（遊技者が）視認できるように、無線通信部４０３の少なくとも一部を透明又は半透明の部材で構成している。具体的には、無線通信部４０３の内部にある部品（例えば、アンテナ５０１を介して、無線通信装置６に対してデータの読み書きを行うためのリーダやライタ）を、カード挿入口５０２よりもアンテナ５０１が設けられている側に配置すると共に、カード挿入口５０２よりもアンテナ５０１が設けられている側を不透明又は透視困難な半透明の部材にすることで、アンテナ５０１を含む内部部品を外部から視認できないようにする。一方、カード挿入口５０２よりもホルダー５０３が設けられている側を、ホルダー５０３を含めて透明又は半透明の部材にすることで、カード挿入口５０２に挿入された非接触ＩＣカード６Ａを外部から視認できるようにしている。以上のようにすることで、非接触ＩＣカード６Ａがカード挿入口５０２に挿入されていることを遊技者に認識させ易くすることができ、非接触ＩＣカード６Ａの置き忘れを抑制することができる。
【００２９】
また、本実施形態では、遊技者が、カード挿入口５０２内に非接触ＩＣカード６Ａを手動で載置させるようにしている。すなわち、カード挿入口５０２に挿入された非接触ＩＣカード６Ａをカード挿入口５０２内の所定の位置に自動的に引き込むための引き込み機構を無線通信部４０３に設けないようにしている。このようにすることによって、引き込み機構の不具合等により、カード挿入口５０２内に挿入された非接触ＩＣカード６Ａが取り出せなくなってしまったり、破損してしまったりする等のトラブルを（ジャム等のトラブルを）抑制することができる。
【００３０】
更に、本実施形態では、遊技媒体貸出装置４に対応して設けられている遊技機１００の扉１２７が最大角度で回動しても、扉１２７が支持している透明板１２６が、遊技媒体貸出装置４の前面に形成された突出部（無線通信部４０３）に接触しないように、突出部（無線通信部４０３）の位置、高さ、及び形状が設計されている。
【００３１】
（システム構成）
次に、遊技媒体貸出装置４の内部構成等のシステム構成について説明する。図５は、遊技媒体貸出装置４のシステム構成の一例を示すブロック図である。
遊技媒体貸出装置４には、ＣＰＵ６０１、ＲＯＭ６０２、ＲＡＭ６０３、ランプ４０１、表示装置４０４、遊技球貸出機構６０４、紙幣投入／返却機構６０５、通信インターフェース６０６、入出力インターフェース６０７、ＩＣカード検出センサ６０８、及びＩＣカードロック機構６０９が設けられており、これらはバス６０８を介して相互に接続されている。更に、前述したように、遊技媒体貸出装置４には、アンテナ５０１及びテンキー４０５が設けられている。
【００３２】
ＣＰＵ６０１は、プログラムを構成する命令の読み出し（フェッチ）、解釈（デコード）及び実行を行う。そして、ＣＰＵ６０１は、ＲＯＭ６０２に記憶されているプログラム及びデータ等を読み出し、これらに基づいて遊技媒体貸出装置４全体の制御を行う。
ＲＯＭ６０２には、ＣＰＵ６０１が、後述する図１０に示す処理、及びその他の遊技球の貸し出し等の制御を行うのに必要なプログラム及びデータ等が記憶されている。また、ＲＡＭ６０３は、ＣＰＵ６０１が各種の制御を行うときのワークエリア等として用いられ、データ等を一時的に記憶する。
【００３３】
遊技球貸出機構６０４は、ＣＰＵ６０１からの指示に基づいて、遊技媒体貸し出し単位に応じた数の遊技球を、ノズル部４０６を介して、球皿ユニット１２８に設けられた球皿１２８ａに送り出す。
紙幣投入／返却機構６０５は、紙幣投入口４０２に紙幣が投入されると、その紙幣を識別し、識別した紙幣を示す信号をＣＰＵ６０１に送信する。その後、紙幣投入口４０２に投入された紙幣の受け付けが、ＣＰＵ６０１によって許可された場合には、紙幣投入／返却機構６０５は、投入された紙幣を、内部の所定の位置に搬送する。また、紙幣投入／返却機構６０５は、紙幣投入口４０２に投入された紙幣を受け付けが、ＣＰＵ６０１によって許可されなかった場合には、投入された紙幣を紙幣投入口４０２に戻す。
【００３４】
通信インターフェース６０６は、ＣＰＵ６０１から送信された信号を、アンテナ５０１から送信できるように加工したり、ＬＡＮケーブルを介して店舗サーバ３へ送信できるように加工したりする。また、通信インターフェース６０６は、アンテナ５０１で受信した信号や、ＬＡＮケーブルを介して店舗サーバ３から受信した信号をＣＰＵ６０１で解釈できるように加工する。
入出力インターフェース６０７は、テンキー４０５の操作内容を示す信号を生成して、ＣＰＵ６０１に送信する。
【００３５】
ＩＣカード検出センサ６０８は、カード挿入口５０２内に載置（挿入）された非接触ＩＣカード６Ａを検出するセンサである。ＩＣカード検出センサ６０８は、例えば、カード挿入口５０２内の互いに対向する一方の面に設けられた発光部と、他方の面に設けられた受光部とを有している。このようにした場合、受光部が発光部からの光を受光していない場合に、カード挿入口５０２内に非接触ＩＣカード６Ａが載置されていることになる。一方、受光部が発光部からの光を受光している場合には、カード挿入口５０２内に非接触ＩＣカード６Ａが載置されていないことになる。
【００３６】
ＩＣカードロック機構６０９は、カード挿入口５０２内に載置された非接触ＩＣカード６ＡがＩＣカード検出センサ６０８で検出されているときに、テンキー４０５を用いて、非接触ＩＣカード６Ａの正規の暗証番号が入力されると、カード挿入口５０２内に載置された非接触ＩＣカード６Ａをロック（取り出し不能（困難）状態に）する。ＩＣカードロック機構６０９は、例えば、カード挿入口５０２内の互いに対向する面に設けられたゴム状の板を有している。このようにした場合、ＩＣカードロック機構６０９は、ゴム状の板を、カード挿入口５０２内に載置された非接触ＩＣカード６Ａの両側から挟むことにより、カード挿入口５０２内に載置された非接触ＩＣカード６Ａをロックすることができる。
【００３７】
（センタサーバ、店舗サーバのハードウェアの構成）
図６は、センタサーバ１及び店舗サーバ３のシステム構成の一例を示す図である。尚、本実施形態では、センタサーバ１及び店舗サーバ３は、共にパーソナルコンピュータを用いて構成される。よって、センタサーバ１及び店舗サーバ３のシステム構成は同じものとなる。
図６において、センタサーバ１及び店舗サーバ３は、ＣＰＵ７０１と、ＲＯＭ７０２と、ＲＡＭ７０３と、キーボード（ＫＢ）７０４のキーボードコントローラ（ＫＢＣ）７０５と、表示部としてのＣＲＴディスプレイ（ＣＲＴ）７０６のＣＲＴコントローラ（ＣＲＴＣ）７０７と、ハードディスク（ＨＤ）７０８及び記録媒体（ＭＣ）７１２のコントローラ（ＤＫＣ）７０９と、ネットワーク２との接続のためのネットワークインターフェースコントローラ（ＮＩＣ）７１０とが、システムバス７１１を介して互いに通信可能に接続された構成としている。
【００３８】
ＣＰＵ７０１は、ＲＯＭ７０２或いはＨＤ７０８に記憶されたソフトウェアを実行することで、システムバス７０３に接続された各構成部を総括的に制御する。
すなわち、ＣＰＵ７０１は、所定の処理シーケンスに従った処理プログラムやデータを、ＲＯＭ７０２、或いはＨＤ７０８、或いは記録媒体（ＭＣ）７１２から読み出して実行することで、後述する動作を実現するための制御を行う。
【００３９】
ＲＡＭ７０３は、ＣＰＵ７０１の主メモリ或いはワークエリア等として機能する。
ＫＢＣ７０５は、ＫＢ７０４や図示していないポインティングデバイス等からの指示入力を制御する。
【００４０】
ＣＲＴＣ７０７は、ＣＲＴ７０６の表示を制御する。
ＤＫＣ７０９は、ブートプログラム、種々のアプリケーション、編集ファイル、ユーザファイル、及びネットワーク管理プログラムを実行する所定の処理プログラム等を記憶するＨＤ７０８や、記録媒体（ＭＣ）７１２のアクセスを制御する。
ＮＩＣ７１０は、ネットワーク２上の装置、或いはＬＡＮケーブル等の通信ケーブルを介して相互に接続された装置と双方向にデータをやりとりする。
【００４１】
（遊技媒体貸出装置の機能構成）
図７は、遊技媒体貸出装置４の機能的な構成の一例を示す機能ブロック図である。
（無線通信情報取得部９０１）
無線通信情報取得部９０１は、無線通信装置６を識別する識別情報と、その無線通信装置６における電子マネーの残高に関する残高情報と、その無線通信装置６における暗証番号に関する暗証番号情報とを、アンテナ５０１を介して取得する。
無線通信情報取得部９０１は、ＣＰＵ６０１、ＲＯＭ６０２、ＲＡＭ６０３、及び通信インターフェース６０６を用いることにより実現される。
【００４２】
（識別情報送信部９０２）
識別情報送信部９０２は、無線通信情報取得部９０１において、無線通信装置６を識別する識別情報が取得されると、その識別情報を、自身が属する店舗５内にある店舗サーバ３に送信する。
識別情報送信部９０２は、ＣＰＵ６０１、ＲＯＭ６０２、ＲＡＭ６０３、及び通信インターフェース６０６を用いることにより実現される。
【００４３】
（利用限度額情報取得部９０３）
利用限度額情報取得部９０３は、識別情報送信部９０２から送信した識別情報と、その識別情報に対応付けられて店舗サーバ３に記憶されている利用限度額情報とを、自身が属する店舗５内にある店舗サーバ３から取得する。そして、利用限度額情報取得部９０３は、取得した識別情報と利用限度額情報とを対応付けて例えばＲＡＭ６０３に記憶する。すなわち、利用限度額情報取得部９０３は、無線通信装置６の識別情報と、その無線通信装置６における電子マネーの１日当たりの利用限度額（遊技球の貸し出しに関する１日当たりの利用限度額）を示す利用限度額情報とを、自身が属する店舗５内にある店舗サーバ３から取得する。
利用限度額情報取得部９０３は、ＣＰＵ６０１、ＲＯＭ６０２、ＲＡＭ６０３、及び通信インターフェース６０６を用いることにより実現される。
【００４４】
（利用金額情報取得部９０４）
利用金額情報取得部９０４は、識別情報送信部９０２から送信した識別情報と、その識別情報に対応付けられて店舗サーバ３に記憶されている利用金額情報とを、自身が属する店舗５内にある店舗サーバ３から取得する。そして、利用金額情報取得部９０４は、取得した識別情報と利用金額情報とを対応付けて例えばＲＡＭ６０３に記憶する。すなわち、利用金額情報取得部９０４は、無線通信装置６の識別情報と、その無線通信装置６における電子マネーの本日の利用金額（遊技球の貸し出しに関する本日の利用金額の総額）を示す利用金額情報とを、自身が属する店舗５内にある店舗サーバ３から取得する。
利用金額情報取得部９０４は、ＣＰＵ６０１、ＲＯＭ６０２、ＲＡＭ６０３、及び通信インターフェース６０６を用いることにより実現される。
【００４５】
（貸出判定部９０５）
貸出判定部９０５は、無線通信情報取得部９０１で取得された残高情報に基づく残高が、遊技球の貸し出し単位に応じた金額以上であるか否かを判定する。この判定の結果、無線通信情報取得部９０１で取得された残高情報に基づく残高が、遊技球の貸し出し単位に応じた金額未満である場合には、遊技球の貸し出しを行えないので、そのことを示す信号を貸出不可報知指示部９０６に送信する。
一方、無線通信情報取得部９０１で取得された残高情報に基づく残高が、遊技球の貸し出し単位に応じた金額以上である場合、貸出判定部９０５は、無線通信情報取得部９０１で情報が取得されてから、現在までの間に、遊技機１００（球貸出操作受付部３１４）から、球貸ボタン操作信号を受信したか否かを判定する。
【００４６】
この判定の結果、球貸ボタン操作信号を受信した場合、貸出判定部９０５は、無線通信情報取得部９０１で取得した識別情報に対応する「利用限度額情報及び利用金額情報」が、「利用限度額情報取得部９０３及び利用金額情報取得部９０４」に記憶されているか否かを判定する。
【００４７】
この判定の結果、無線通信情報取得部９０１で取得した識別情報に対応する「利用限度額情報及び利用金額情報」が記憶されている場合、貸出判定部９０５は、それら利用限度額情報及び利用金額情報を読み出す。そして、貸出判定部９０５は、利用限度額情報に基づく利用限度額から、利用金額情報に基づく利用金額を減算した金額が、遊技球の貸し出し単位に応じた金額以上であるか否かを判定して、遊技球の貸し出しが可能であるか否かを判定する。この判定の結果、利用限度額情報に基づく利用限度額から、利用金額情報に基づく利用金額を減算した金額が、遊技球の貸し出し単位に応じた金額以上であり、遊技球の貸し出しが可能である場合には、そのことを示す信号を、決済部９０７に送信する。一方、利用限度額情報に基づく利用限度額から、利用金額情報に基づく利用金額を減算した金額が、遊技球の貸し出し単位に応じた金額未満であり、遊技球の貸し出しが不可能である場合には、そのことを示す信号を、貸出不可報知指示部９０６に送信する。
【００４８】
また、前記において、無線通信情報取得部９０１で取得した識別情報に対応する「利用限度額情報及び利用金額情報」が記憶されていない場合、貸出判定部９０５は、自身が属する店舗５において、無線通信装置６が遊技媒体貸出装置４と本日初めて通信を行ったと判定し、前述した遊技球の貸し出しが可能であるか否かの判定を行わずに、そのことを示す信号を決済部９０７に送信する。このようにすることによって、自身が属する店舗５において、無線通信装置６が遊技媒体貸出装置４と本日初めて通信を行った場合、遊技媒体貸出装置４は、その無線通信装置６の利用限度額情報及び利用金額情報が店舗サーバ３で取得されるのを待たずに決済を行うことができる。したがって、遊技媒体貸出装置４と、無線通信装置６とが無線通信を行ってから遊技球が貸し出されるまでの時間が長くなることを抑制することができ、遊技者に不快感を与えてしまうことを防止できる。
貸出判定部９０５は、ＣＰＵ６０１、ＲＯＭ６０２、及びＲＡＭ６０３を用いることにより実現される。
【００４９】
（貸出不可報知指示部９０６）
貸出不可報知指示部９０６は、無線通信情報取得部９０１で取得された残高情報に基づく残高が、遊技球の貸し出し単位に応じた金額未満であり、遊技球の貸し出しを行えないことを示す信号が、貸出判定部９０５から送信されると、そのことを示すＬＥＤ点灯信号を生成して、ランプ４０１に送信する。これにより、ランプ４０１は、ＬＥＤ点灯信号に基づく第１の表示態様でＬＥＤを点消灯させ、遊技者が所有する無線通信装置６における電子マネーの残高が、遊技球の貸し出し単位に応じた金額未満であり、遊技球の貸し出しを行えないことを遊技者に報知する。
【００５０】
また、貸出不可報知指示部９０６は、無線通信装置６における利用金額が、利用限度額を超えてしまうために、遊技球の貸し出しを行えないことを示す信号が、貸出判定部９０５から送信されると、そのことを示すＬＥＤ点灯信号を生成して、ランプ４０１に送信する。これにより、ランプ４０１は、ＬＥＤ点灯信号に基づく第２の表示態様でＬＥＤを点消灯させ、遊技者が所有する無線通信装置６における電子マネーの本日の利用金額が、１日当たりの利用限度額を超えてしまうために、遊技球の貸し出しを行えないことを遊技者に報知する。
貸出不可報知指示部９０６は、ＣＰＵ６０１、ＲＯＭ６０２、及びＲＡＭ６０３を用いることにより実現される。尚、ランプ４０１における第１の表示態様と第２の表示態様は、同じであっても異なっていてもよい。
【００５１】
（決済部９０７）
決済部９０７は、遊技球の貸し出しが可能であることを示す信号が、貸出判定部９０５から送信された場合と、自身が属する店舗５において、無線通信装置６が遊技媒体貸出装置４と本日初めて通信を行ったことを示す信号が、貸出判定部９０５から送信された場合に、遊技球の貸し出しに対する決済を行う。前述したように、本実施形態では、遊技球の貸し出し単位に応じた金額を、１０００円としているので、決済金額は１０００円となる。
決済部９０７は、ＣＰＵ６０１、ＲＯＭ６０２、及びＲＡＭ６０３を用いることにより実現される。
【００５２】
（決済金額情報送信部９０８）
決済金額情報送信部９０８は、決済部９０７で決済が行われると、決済金額を示す決済金額情報を、無線通信情報取得部９０１で取得された識別情報で識別される無線通信装置６にアンテナ５０１を介して送信する。この決済金額情報に基づいて、無線通信装置６に記憶されている電子マネーの残高情報が書き換えられる。
決済金額情報送信部９０８は、ＣＰＵ６０１、ＲＯＭ６０２、ＲＡＭ６０３、及び通信インターフェース６０６を用いることにより実現される。
【００５３】
（貸出情報送信部９０９）
貸出情報送信部９０９は、決済部９０７で決済が行われると、決済金額を示す決済金額情報と、無線通信情報取得部９０１で取得された識別情報とを含む遊技媒体貸出情報を、自身が属する店舗５内にある店舗サーバ３に送信する。
貸出情報送信部９０９は、ＣＰＵ６０１、ＲＯＭ６０２、ＲＡＭ６０３、及び通信インターフェース６０６を用いることにより実現される。
【００５４】
（利用金額書き換え部９１０）
利用金額書き換え部９１０は、決済部９０７で決済が行われると、利用金額情報取得部９０４によりＲＡＭ６０３に記憶された利用金額情報に基づく利用金額に、決済金額を加算して、利用金額情報を更新する。
利用金額書き換え部９１０は、ＣＰＵ６０１、ＲＯＭ６０２、及びＲＡＭ６０３を用いることにより実現される。
【００５５】
（遊技球貸出指示部９１１）
遊技球貸出指示部９１１は、決済部９０７で決済が行われると、遊技球の貸し出し単位に応じた数の遊技球を貸し出す指示を、遊技球貸出機構６０４に送信する。これにより、遊技球貸出機構６０４は、遊技球の貸し出し単位に応じた数の遊技球を、ノズル部４０６を介して、球皿ユニット１２８に設けられた球皿１２８ａに送り出す。
遊技球貸出指示部９１１は、ＣＰＵ６０１、ＲＯＭ６０２、及びＲＡＭ６０３を用いることにより実現される。
【００５６】
（ＩＣカード検知部９１２）
ＩＣカード検知部９１２は、ＩＣカード検出センサ６０８から出力された信号に基づいて、カード挿入口５０２内に非接触ＩＣカード６Ａが載置されているか否かを判定する。
ＩＣカード検知部９１２は、ＣＰＵ６０１、ＲＯＭ６０２、及びＲＡＭ６０３を用いることにより実現される。
【００５７】
（暗証番号受付部９１３）
暗証番号受付部９１３は、ＩＣカード検知部９１２により、カード挿入口５０２内に非接触ＩＣカード６Ａが載置されていると判定されているときに、テンキー４０５の操作により入力された暗証番号と、無線通信情報取得部９０１により取得された暗証番号情報に基づく暗証番号とが一致するか否かを判定する。そして、テンキー４０５の操作により入力された暗証番号と、無線通信情報取得部９０１により取得された暗証番号情報に基づく暗証番号とが一致する場合、テンキー４０５の操作により入力された暗証番号が正規のものであると判定し、その暗証番号を受け付ける。
暗証番号受付部９１３は、ＣＰＵ６０１、ＲＯＭ６０２、及びＲＡＭ６０３を用いることにより実現される。
【００５８】
（ＩＣカードロック判定部９１４）
ＩＣカードロック判定部９１４は、暗証番号受付部９１３により暗証番号が受け付けられると、ＩＣカードロック機構６０９により非接触ＩＣカード６Ａがロックされているか否かを判定する。
ＩＣカードロック判定部９１４は、ＣＰＵ６０１、ＲＯＭ６０２、及びＲＡＭ６０３を用いることにより実現される。
【００５９】
（ＩＣカードロック部９１５）
ＩＣカードロック部９１５は、ＩＣカードロック判定部９１４により、非接触ＩＣカード６Ａがロックされていないと判定され、且つＩＣカード検知部９１２により、カード挿入口５０２内に非接触ＩＣカード６Ａが載置されていると判定された場合に、非接触ＩＣカード６Ａをロックするためのロック指示信号をＩＣカードロック機構６０９に送信する。これにより、ＩＣカードロック機構６０９は、非接触ＩＣカード６Ａをロックする。
ＩＣカードロック部９１５は、ＣＰＵ６０１、ＲＯＭ６０２、及びＲＡＭ６０３を用いることにより実現される。
【００６０】
（ＩＣカードロック解除部９１６）
ＩＣカードロック解除部９１６は、ＩＣカードロック判定部９１４により、非接触ＩＣカード６Ａがロックされていると判定されると、非接触ＩＣカード６Ａのロックを解除するためのロック解除指示信号をＩＣカードロック機構６０９に送信する。これにより、ＩＣカードロック機構６０９は、非接触ＩＣカード６Ａのロックを解除する。
ＩＣカードロック解除部９１６は、ＣＰＵ６０１、ＲＯＭ６０２、及びＲＡＭ６０３を用いることにより実現される。
尚、遊技媒体貸出装置４は、図７に示した機能以外の機能を有していてもよい。
【００６１】
（店舗サーバの機能構成）
図８は、店舗サーバ３の機能的な構成の一例を示す機能ブロック図である。
（識別情報取得部１００１）
識別情報取得部１００１は、遊技媒体貸出装置４（識別情報送信部９０２）から送信された無線通信装置６の識別情報を取得する。
識別情報取得部１００１は、ＣＰＵ７０１、ＲＯＭ７０２、及びＲＡＭ７０３を用いることにより実現される。
【００６２】
（利用限度額情報取得部１００２）
利用限度額情報取得部１００２は、識別情報取得部１００１で取得された識別情報に対応付けられて、利用限度額情報が、利用限度額記憶部１００３に記憶されているか否かを判定する。この判定の結果、識別情報取得部１００１で取得された識別情報に対応付けられて、利用限度額記憶部１００３に利用限度額情報が記憶されていない場合、利用限度額情報取得部１００２は、識別情報取得部１００１で取得した識別情報をセンタサーバ１に送信して、その識別情報に対応する利用限度額情報を、センタサーバ１から取得する。すなわち、利用限度額情報取得部１００２は、遊技媒体貸出装置４から取得要求のあった無線通信装置６の利用限度額情報を、センタサーバ１から取得する。
利用限度額情報取得部１００２は、ＣＰＵ７０１、ＲＯＭ７０２、ＲＡＭ７０３、及びＮＩＣ７１０を用いることにより実現される。
【００６３】
（利用限度額記憶部１００３）
利用限度額記憶部１００３は、無線通信装置６の識別情報と、その無線通信装置６における電子マネーの利用限度額（遊技球の貸し出しに関する１日当たりの利用限度額）を示す利用限度額情報とを対応付けて記憶するテーブルを有する。
利用限度額記憶部１００３は、ＨＤ７０８を用いることにより実現される。
【００６４】
（利用金額情報取得部１００４）
利用金額情報取得部１００４は、識別情報取得部１００１で取得された識別情報に対応付けられて、利用金額情報が利用金額記憶部１００５に記憶されているか否かを判定する。この判定の結果、識別情報取得部１００１で取得された識別情報に対応付けられて、利用金額記憶部１００５に利用金額情報が記憶されていない場合、利用金額情報取得部１００４は、識別情報取得部１００１で取得した識別情報をセンタサーバ１に送信して、その識別情報に対応する利用金額情報を、センタサーバ１から取得する。すなわち、利用金額情報取得部１００４は、遊技媒体貸出装置４から取得要求のあった無線通信装置６の利用金額情報を、センタサーバ１から取得する。
利用金額情報取得部１００４は、ＣＰＵ７０１、ＲＯＭ７０２、ＲＡＭ７０３、及びＮＩＣ７１０を用いることにより実現される。
【００６５】
（利用金額記憶部１００５）
利用金額記憶部１００５は、無線通信装置６の識別情報と、その無線通信装置６における電子マネーの利用金額（遊技球の貸し出しに関する本日の利用金額）を示す利用金額情報とを対応付けて記憶するテーブルを有する。
利用金額記憶部１００５は、ＨＤ７０８を用いることにより実現される。
【００６６】
（利用限度額情報送信部１００６）
利用限度額情報送信部１００６は、識別情報取得部１００１で取得された識別情報と、その識別情報に対応付けられて利用限度額記憶部１００３に記憶されている利用限度額情報とを、識別情報取得部１００１で取得した情報の送信元である遊技媒体貸出装置４に送信する。
利用限度額情報送信部１００６は、ＣＰＵ７０１、ＲＯＭ７０２、ＲＡＭ７０３、及びＮＩＣ７１０を用いることにより実現される。
【００６７】
（第１の利用金額情報送信部１００７）
第１の利用金額情報送信部１００７は、識別情報取得部１００１で取得された識別情報と、その識別情報に対応付けられて利用金額記憶部１００５に記憶されている利用金額情報とを、識別情報取得部１００１で取得した情報の送信元である遊技媒体貸出装置４に送信する。
第１の利用金額情報送信部１００７は、ＣＰＵ７０１、ＲＯＭ７０２、ＲＡＭ７０３、及びＮＩＣ７１０を用いることにより実現される。
【００６８】
（貸出情報取得部１００８）
貸出情報取得部１００８は、遊技媒体貸出装置４（貸出情報送信部９０９）から、無線通信装置６の識別情報と、その無線通信装置６に対して行った決済金額を示す決済金額情報とを含む遊技媒体貸出情報を、自身が属する店舗５内にある遊技媒体貸出装置４から取得する。
貸出情報取得部１００８は、ＣＰＵ７０１、ＲＯＭ７０２、ＲＡＭ７０３、及びＮＩＣ７１０を用いることにより実現される。
【００６９】
（利用金額書き換え部１００９）
利用金額書き換え部１００９は、貸出情報取得部１００８により、識別情報と決済金額情報とを含む遊技媒体貸出情報が取得されると、その識別情報に対応付けられて利用金額記憶部１００５に記憶されている利用金額情報に基づく利用金額に、取得された決済金額情報に基づく決済金額を加算して、利用金額情報を更新する。
利用金額書き換え部１００９は、ＣＰＵ７０１、ＲＯＭ７０２、及びＲＡＭ７０３を用いることにより実現される。
【００７０】
（第２の利用金額情報送信部１０１０）
第２の利用金額情報送信部１０１０は、利用金額書き換え部１００９により、利用金額記憶部１００５に記憶されている利用金額情報が更新されると、その利用金額情報と、その利用金額情報に対応付けられて利用金額記憶部１００５に記憶されている識別情報とを、センタサーバ１に送信する。
第２の利用金額情報送信部１０１０は、ＣＰＵ７０１、ＲＯＭ７０２、ＲＡＭ７０３、及びＮＩＣ７１０を用いることにより実現される。
尚、店舗サーバ３は、図８に示した機能以外の機能を有していてもよい。
【００７１】
（センタサーバの機能構成）
図９は、センタサーバ１の機能的な構成の一例を示す機能ブロック図である。
（識別情報取得部１１０１）
識別情報取得部１１０１は、店舗サーバ３（利用限度額情報取得部１００２、利用金額情報取得部１００４、第２の利用金額情報送信部１０１０）から送信された識別情報を取得する。
識別情報取得部１１０１は、ＣＰＵ７０１、ＲＯＭ７０２、ＲＡＭ７０３、及びＮＩＣ７１０を用いることにより実現される。
【００７２】
（利用限度額情報送信部１１０２）
利用限度額情報送信部１１０２は、識別情報取得部１１０１で取得された識別情報と、その識別情報に対応付けられて利用限度額情報記憶部１１０３に記憶されている利用限度額情報を、識別情報取得部１１０１で取得された識別情報の送信元である店舗サーバ３に送信する。すなわち、利用限度額情報送信部１１０２は、利用限度額情報取得部１００２から識別情報が送信された場合、その識別情報と、その識別情報に対応付けられて利用限度額情報記憶部１１０３に記憶されている利用限度額情報を、識別情報取得部１１０１で取得された識別情報の送信元である店舗サーバ３に送信する。
利用限度額情報送信部１１０２は、ＣＰＵ７０１、ＲＯＭ７０２、ＲＡＭ７０３、及びＮＩＣ７１０を用いることにより実現される。
【００７３】
（利用限度額記憶部１１０３）
利用限度額記憶部１１０３は、無線通信装置６の識別情報と、その無線通信装置６における電子マネーの利用限度額（遊技球の貸し出しに関する１日当たりの利用限度額）を示す利用限度額情報とを対応付けて予め記憶するテーブルを有する。
利用限度額記憶部１１０３は、ＨＤ７０８を用いることにより実現される。
【００７４】
（利用金額情報送信部１１０４）
利用金額情報送信部１１０４は、識別情報取得部１１０１で取得された識別情報と、その識別情報に対応付けられて利用金額情報記憶部１１０５に記憶されている利用金額情報を、識別情報取得部１１０１で取得された識別情報の送信元である店舗サーバ３に送信する。すなわち、利用金額情報送信部１１０４は、利用金額情報取得部１００４から識別情報が送信された場合、その識別情報と、その識別情報に対応付けられて利用金額情報記憶部１１０５に記憶されている利用金額情報を、識別情報取得部１１０１で取得された識別情報の送信元である店舗サーバ３に送信する。
利用金額情報送信部１１０４は、ＣＰＵ７０１、ＲＯＭ７０２、ＲＡＭ７０３、及びＮＩＣ７１０を用いることにより実現される。
【００７５】
（利用金額記憶部１１０５）
利用金額記憶部１１０５は、無線通信装置６の識別情報と、その無線通信装置６における電子マネーの利用金額（遊技球の貸し出しに関する本日の利用金額）を示す利用金額情報とを対応付けて予め記憶するテーブルを有する。
利用金額記憶部１１０５は、ＨＤ７０８を用いることにより実現される。
【００７６】
（利用金額情報書き換え部１１０６）
利用金額情報書き換え部１１０６は、識別情報取得部１１０１で取得された識別情報に利用金額情報が付加されている場合、その識別情報に対応付けられて利用金額記憶部１１０５に記憶されている利用金額情報を、取得された識別情報に付加されている利用金額情報に書き換えて、利用金額情報を更新する。すなわち、利用金額情報書き換え部１１０６は、第２の利用金額情報送信部１０１０から識別情報と利用金額情報とが送信された場合、その識別情報に対応付けられて利用金額記憶部１１０５に記憶されている利用金額情報を、取得された識別情報に付加されている利用金額情報に書き換える。
利用金額情報書き換え部１１０６は、ＣＰＵ７０１、ＲＯＭ７０２、及びＲＡＭ７０３を用いることにより実現される。
尚、センタサーバ１は、図９に示した機能以外の機能を有していてもよい。
【００７７】
次に、図１０のフローチャートを参照しながら、遊技媒体貸出装置４における処理動作の一例を説明する。
まず、ステップＳ１１において、無線通信情報取得部９０１は、無線通信装置６を識別する識別情報と、その無線通信装置６における電子マネーの残高に関する残高情報と、その無線通信装置６における暗証番号に関する暗証番号とを、アンテナ５０１を介して無線通信装置６から取得したか否かを判定する。この判定の結果、無線通信装置６を識別する識別情報と、その無線通信装置６における電子マネーの残高に関する残高情報と、その無線通信装置６における暗証番号に関する暗証番号とを取得していない場合には、後述するステップＳ２３に進む。
【００７８】
一方、無線通信装置６を識別する識別情報と、その無線通信装置６における電子マネーの残高に関する残高情報と、その無線通信装置６における暗証番号に関する暗証番号とを取得した場合には、ステップＳ１２に進む。ステップＳ１２に進むと、識別情報送信部９０２は、ステップＳ１１で取得された識別情報を、自身が属する店舗５内にある店舗サーバ３に送信する。
【００７９】
次に、ステップＳ１３において、貸出判定部９０５は、ステップＳ１１で取得された残高情報に基づく残高が、遊技球の貸し出し単位に応じた金額以上であるか否かを判定する。この判定の結果、ステップＳ１１で取得された残高情報に基づく残高が、遊技球の貸し出し単位に応じた金額未満である場合には、ステップＳ１４に進む。ステップＳ１４に進むと、貸出不可報知指示部９０６は、無線通信装置６における残高が、遊技球の貸し出し単位に応じた金額未満であり、遊技球の貸し出しを行えないことを示すＬＥＤ点灯信号を生成して、ランプ４０１に送信する。これにより、ランプ４０１は、ＬＥＤ点灯信号に基づく表示態様でＬＥＤを点消灯させ、遊技球の貸し出しを行えないことを遊技者に報知する。そして、ステップＳ１１に戻る。
【００８０】
一方、ステップＳ１１で取得された残高情報に基づく残高が、遊技球の貸し出し単位に応じた金額以上である場合には、ステップＳ１５に進む。ステップＳ１５に進むと、貸出判定部９０５は、ステップＳ１１、Ｓ１２、Ｓ１３、Ｓ１５の処理中に、遊技機１００（球貸出操作受付部３１４）から、球貸ボタン操作信号を受信したか否かを判定する。この判定の結果、球貸ボタン操作信号を受信していない場合には、遊技球の貸し出しを行わないので、ステップＳ１１に戻る。
【００８１】
一方、球貸ボタン操作信号を受信した場合には、ステップＳ１６に進む。ステップＳ１６に進むと、貸出判定部９０５は、ステップＳ１１で取得した識別情報に対応する「利用限度額情報及び利用金額情報」が、「利用限度額情報取得部９０３及び利用金額情報取得部９０４」に記憶されているか否かを判定する。
この判定の結果、ステップＳ１１で取得した識別情報に対応する「利用限度額情報及び利用金額情報」が記憶されていない場合には、自身が属する店舗５において、無線通信装置６が遊技媒体貸出装置４と本日初めて通信を行ったため、遊技球の貸し出しが可能であるか否かの判定を行わない。したがって、ステップＳ１７を省略して後述するステップＳ１８に進む。
【００８２】
一方、ステップＳ１１で取得した識別情報に対応する「利用限度額情報及び利用金額情報」が記憶されている場合には、ステップＳ１７に進む。ステップＳ１７に進むと、貸出判定部９０５は、それら利用限度額情報及び利用金額情報を読み出す。そして、貸出判定部９０５は、利用限度額情報に基づく利用限度額から、利用金額情報に基づく利用金額を減算した金額が、遊技球の貸し出し単位に応じた金額以上であるか否かを判定して、遊技球の貸し出しが可能であるか否かを判定する。
【００８３】
この判定の結果、遊技球の貸し出しが不可能である場合には、ステップＳ１４に進む。ステップＳ１４に進むと、貸出不可報知指示部９０６は、無線通信装置６における利用金額が、利用限度額を超えてしまうために、遊技球の貸し出しを行えないことを示すＬＥＤ点灯信号を生成して、ランプ４０１に送信する。これにより、ランプ４０１は、ＬＥＤ点灯信号に基づく表示態様でＬＥＤを点消灯させ、遊技球の貸し出しを行えないことを遊技者に報知する。そして、ステップＳ１１に戻る。
【００８４】
一方、遊技球の貸し出しが可能である場合には、ステップＳ１８に進む。ステップＳ１８に進むと、決済部９０７は、遊技球の貸し出しに対する決済を行う。
次に、ステップＳ１９において、決済金額情報送信部９０８は、決済金額を示す決済金額情報を、無線通信情報取得部９０１で取得された識別情報で識別される無線通信装置６にアンテナ５０１を介して送信する。
次に、ステップＳ２０において、貸出情報送信部９０９は、決済金額を示す決済金額情報と、無線通信情報取得部９０１で取得された識別情報とを含む遊技媒体貸出情報を、自身が属する店舗５内にある店舗サーバ３に送信する。
【００８５】
次に、ステップＳ２１において、利用金額書き換え部９１０は、ＲＡＭ６０３に記憶されている利用金額情報に基づく利用金額に、決済金額を加算して、利用金額情報を更新する。
次に、ステップＳ２２において、遊技球貸出指示部９１１は、遊技球の貸し出し単位に応じた数の遊技球を貸し出す指示を、遊技球貸出機構６０４に送信する。これにより、遊技球貸出機構６０４は、遊技球の貸し出し単位に応じた数の遊技球を、ノズル部４０６を介して、球皿ユニット１２８に設けられた球皿１２８ａに送り出す。そして、ステップＳ１１に戻る。
【００８６】
ステップＳ１１において、無線通信装置６を識別する識別情報と、その無線通信装置６における電子マネーの残高に関する残高情報とを取得していないと判定された場合には、ステップＳ２３に進む。ステップＳ２３に進むと、利用限度額情報取得部９０３は、ステップＳ１２で送信された識別情報と、その識別情報に対応付けられて店舗サーバ３に記憶されている利用限度額情報とを、自身が属する店舗５内にある店舗サーバ３から取得したか否かを判定する。この判定の結果、ステップＳ１２で送信された識別情報と、その識別情報に対応付けられて店舗サーバ３に記憶されている利用限度額情報とを取得していない場合には、後述するステップＳ２５に進む。
【００８７】
一方、ステップＳ１２で送信された識別情報と、その識別情報に対応付けられて店舗サーバ３に記憶されている利用限度額情報とを取得した場合には、ステップＳ２４に進む。ステップＳ２４に進むと、利用限度額情報取得部９０３は、取得した識別情報と利用限度額情報とを対応付けて例えばＲＡＭ６０３に記憶する。
ステップＳ２３において、ステップＳ１２で送信した識別情報と、その識別情報に対応付けられて店舗サーバ３に記憶されている利用限度額情報とを取得していないと判定された場合には、ステップＳ２５に進む。ステップＳ２５に進むと、利用金額情報取得部９０４は、ステップＳ１２で送信された識別情報と、その識別情報に対応付けられて店舗サーバ３に記憶されている利用金額情報とを、自身が属する店舗５内にある店舗サーバ３から取得したか否かを判定する。この判定の結果、ステップＳ１２で送信された識別情報と、その識別情報に対応付けられて店舗サーバ３に記憶されている利用金額情報とを取得していない場合には、後述するステップＳ２７に進む。
【００８８】
一方、ステップＳ１２で送信された識別情報と、その識別情報に対応付けられて店舗サーバ３に記憶されている利用金額情報とを取得した場合には、ステップＳ２６に進む。ステップＳ２６に進むと、利用金額情報取得部９０４は、取得した識別情報と利用金額情報とを対応づけて例えばＲＡＭ６０３に記憶する。そして、ステップＳ１１に戻る。
【００８９】
ステップＳ２５において、ステップＳ１２で送信された識別情報と、その識別情報に対応付けられて店舗サーバ３に記憶されている利用金額情報とを取得していないと判定された場合には、ステップＳ２７に進む。ステップＳ２７に進むと、暗証番号受付部９１３は、テンキー４０５の操作により暗証番号が入力されたか否かを判定する。この判定の結果、テンキー４０５の操作により暗証番号が入力されていない場合には、ステップＳ１１に戻る。
【００９０】
一方、テンキー４０５の操作により暗証番号が入力された場合には、ステップＳ２８に進む。ステップＳ２８に進むと、ＩＣカード検知部９１２は、カード挿入口５０２内に非接触ＩＣカード６Ａが載置されていると判定されているか否かを判定する。この判定の結果、カード挿入口５０２内に非接触ＩＣカード６Ａが載置されていない場合には、ステップＳ１１に戻る。一方、カード挿入口５０２内に非接触ＩＣカード６Ａが載置されている場合には、ステップＳ２９に進む。
【００９１】
ステップＳ２９に進むと、暗証番号受付部９１３は、ステップＳ２７で入力されたと判定された暗証番号が、正規の暗証番号であるか否かを判定する。具体的に、暗証番号受付部９１３は、ステップＳ２７で入力されたと判定された暗証番号が、ステップＳ１１で取得された暗証番号情報に基づく暗証番号とが一致するか否かを判定する。この判定の結果、ステップＳ２７で入力されたと判定された暗証番号が、ステップＳ１１で取得された暗証番号情報に基づく暗証番号とが一致せず、ステップＳ２７で入力されたと判定された暗証番号が、正規の暗証番号でない場合には、ステップＳ１１に戻る。尚、このステップＳ２８において、ステップＳ２７で入力されたと判定された暗証番号が、正規の暗証番号でないと判定された場合には、そのことを、表示装置４０４等を用いて遊技者に報知するようにしてもよい。
【００９２】
一方、ステップＳ２７で入力されたと判定された暗証番号が、ステップＳ１１で取得された暗証番号情報に基づく暗証番号とが一致し、ステップＳ２７で入力されたと判定された暗証番号が、正規の暗証番号である場合、暗証番号受付部９１３は、その暗証番頭を受け付けて、ステップＳ３０に進む。ステップＳ３０に進むと、ＩＣカードロック判定部９１４は、ＩＣカードロック機構６０９により非接触ＩＣカード６Ａがロックされているか否かを判定する。この判定の結果、ＩＣカードロック機構６０９により非接触ＩＣカード６Ａがロックされていない場合には、後述するステップＳ３２に進む。一方、ＩＣカードロック機構６０９により非接触ＩＣカード６Ａがロックされている場合には、ステップＳ３１に進む。
【００９３】
ステップＳ３１に進むと、ＩＣカードロック解除部９１６は、非接触ＩＣカード６Ａのロックを解除するためのロック解除指示信号をＩＣカードロック機構６０９に送信する。これにより、ＩＣカードロック機構６０９は、非接触ＩＣカード６Ａのロックを解除する。そして、ステップＳ１１に戻る。
ステップＳ３０において、ＩＣカードロック機構６０９により非接触ＩＣカード６Ａがロックされていないと判定された場合には、ステップＳ３２に進む。ステップＳ３２に進むと、ＩＣカードロック部９１５は、非接触ＩＣカード６Ａをロックするためのロック指示信号をＩＣカードロック機構６０９に送信する。これにより、ＩＣカードロック機構６０９は、非接触ＩＣカード６Ａをロックする。そして、ステップＳ１１に戻る。
【００９４】
次に、図１１のフローチャートを参照しながら、店舗サーバ３における処理動作の一例を説明する。
まず、ステップＳ３１において、識別情報取得部１００１は、遊技媒体貸出装置４（識別情報送信部９０２）から送信された無線通信装置６の識別情報を取得したか否かを判定する。この判定の結果、無線通信装置６の識別情報を取得していない場合には、後述するステップＳ４０に進む。
一方、無線通信装置６の識別情報を取得した場合には、ステップＳ３２に進む。ステップＳ３２に進むと、利用限度額情報取得部１００２は、ステップＳ３１で取得された識別情報に対応付けられて、利用限度額情報が、利用限度額記憶部１００３に記憶されているか否かを判定する。この判定の結果、利用限度額情報が記憶されている場合には、利用限度額情報をセンタサーバ１から取得する必要はないので、ステップＳ３３〜Ｓ３５を省略して後述するステップＳ３６に進む。
【００９５】
一方、利用限度額情報が記憶されていない場合には、ステップＳ３３に進む。ステップＳ３３に進むと、利用限度額情報取得部１００２は、ステップＳ３１で取得した識別情報をセンタサーバ１に送信して、その識別情報に対応する利用限度額情報を、センタサーバ１から取得する。
次に、ステップＳ３４において、利用限度額情報取得部１００２は、ステップＳ３３で取得した利用限度額情報を、ステップＳ３１で取得した識別情報と対応させて利用限度額記憶部１００３に記憶させる。
【００９６】
次に、ステップＳ３５において、利用限度額情報送信部１００６は、ステップＳ３１で取得された識別情報と、その識別情報に対応付けて利用限度額記憶部１００３に記憶した利用限度額情報とを、ステップＳ３１で取得した情報の送信元である遊技媒体貸出装置４に送信する。
【００９７】
次に、ステップＳ３６において、利用金額情報取得部１００４は、ステップＳ１で取得された識別情報に対応付けられて、利用限度額情報が利用金額記憶部１００５に記憶されているか否かを判定する。この判定の結果、利用金額情報が記憶されている場合には、利用金額情報をセンタサーバ１から取得する必要はないので、ステップＳ３１に戻る。
【００９８】
一方、利用金額情報が記憶されていない場合には、ステップＳ３７に進む。ステップＳ３７に進むと、利用金額情報取得部１００４は、ステップＳ３１で取得した識別情報をセンタサーバ１に送信して、その識別情報に対応する利用金額情報を、センタサーバ１から取得する。
次に、ステップＳ３８において、利用金額情報取得部１００４は、ステップＳ３７で取得した利用金額情報を、ステップＳ３１で取得した識別情報と対応させて利用金額記憶部１００５に記憶させる。
【００９９】
次に、ステップＳ３９において、第１の利用金額情報送信部１００７は、ステップＳ３１で取得された識別情報と、その識別情報に対応付けて利用金額記憶部１００５に記憶した利用金額情報とを、ステップＳ３１で取得した情報の送信元である遊技媒体貸出装置４に送信する。そして、ステップＳ３１に戻る。
【０１００】
ステップＳ３１において、無線通信装置６の識別情報を取得していないと判定された場合には、ステップＳ４０に進む。ステップＳ４０に進むと、貸出情報取得部１００８は、遊技媒体貸出装置４から、無線通信装置６の識別情報と、その無線通信装置６に対して行った決済金額を示す決済金額情報とを含む遊技媒体貸出情報を、自身が属する店舗５内にある遊技媒体貸出装置４から取得したか否かを判定する（図１０のステップＳ２０を参照）。この判定の結果、遊技媒体貸出情報を取得していない場合には、ステップＳ３１に戻る。
【０１０１】
一方、遊技媒体貸出情報を取得した場合には、ステップＳ４１に進む。ステップＳ４１に進むと、利用金額書き換え部１００９は、遊技媒体貸出情報に含まれる識別情報に対応付けられて利用金額記憶部１００５に記憶されている利用金額情報に基づく利用金額に、同じく遊技媒体貸出情報に含まれる決済金額情報に基づく決済金額を加算して、利用金額情報を更新する。
次に、ステップＳ４２において、第２の利用金額情報送信部１０１０は、ステップＳ４１で更新された利用金額情報と、その利用金額情報に対応付けられて利用金額記憶部１００５に記憶されている識別情報とをセンタサーバ１に送信する。そして、ステップＳ３１に戻る。
【０１０２】
次に、図１２のフローチャートを参照しながら、センタサーバ１における処理動作の一例を説明する。
まず、ステップＳ５１において、識別情報取得部１１０１は、店舗サーバ３（利用限度額情報取得部１００２、利用金額情報取得部１００４、第２の利用金額情報送信部１０１０）から送信された識別情報を取得するまで待機する（図１１のステップＳ３５、Ｓ３９、Ｓ４２を参照）。
【０１０３】
店舗サーバ３から、無線通信装置６の識別情報を取得すると、ステップＳ５２に進む。ステップＳ５２に進むと、識別情報取得部１１０１は、ステップＳ５１で取得された識別情報に利用金額情報が付加されているか否かを判定する。この判定の結果、ステップＳ５１で取得された識別情報に利用金額情報が付加されている場合、利用金額情報の更新が必要であると判定し、後述するステップＳ５５に進む。
【０１０４】
一方、ステップＳ５１で取得された識別情報に利用金額情報が付加されていない場合には、ステップＳ５３に進む。ステップＳ５３に進むと、利用限度額情報送信部１１０２は、ステップＳ５１で取得された識別情報と、その識別情報に対応付けられて利用限度額情報記憶部１１０３に記憶されている利用限度額情報とを、ステップＳ５１で取得された識別情報の送信元である店舗サーバ３に送信する。
次に、ステップＳ５４において、利用金額情報送信部１１０４は、ステップＳ５１で取得された識別情報と、その識別情報に対応付けられて利用金額情報記憶部１１０５に記憶されている利用金額情報を、ステップＳ５１で取得された識別情報の送信元である店舗サーバ３に送信する。そして、ステップＳ５１に戻る。
【０１０５】
ステップＳ５２において、ステップＳ５１で取得された識別情報に利用金額情報が付加されていると判定された場合には、ステップＳ５５に進む。ステップＳ５５に進むと、利用金額情報書き換え部１１０６は、ステップＳ５１で取得された識別情報に対応付けられて利用金額記憶部１１０５に記憶されている利用金額情報を、ステップＳ５１で取得された識別情報に付加されている利用金額情報に書き換えて、利用金額情報を更新する。そして、ステップＳ５１に戻る。
【０１０６】
以上のように本実施形態では、カード挿入口５０２に挿入された無線通信装置６や、ホルダー５０３内に置かれた無線通信装置６（非接触ＩＣカード６Ａ）と無線通信を行うアンテナ５０１と、無線通信部４０３の側面（アンテナ５０１の通信範囲）に翳された無線通信装置６と無線通信を行うアンテナ５０１とを共用させるようにした。したがって、遊技媒体貸出装置４の省スペース化を図りながら、電子マネーとしての機能を有する種々の無線通信装置６を用いて、遊技球の貸し出しを行うことが可能になる。
【０１０７】
ここで、カード挿入口５０２に無線通信装置６（非接触ＩＣカード６Ａ）を挿入したり、ホルダー５０３内に無線通信装置６を置いたりして、無線通信装置６を無線通信部４０３に保持させておけば、遊技者は、遊技球の貸し出し操作を行う度に、無線通信装置６をセット（準備）する必要がなくなる。一方、アンテナ５０１の通信範囲に無線通信装置６を翳すようにすれば、無線通信装置６の置き忘れを防止することができる。したがって、遊技者は、自己に都合のよい方法で無線通信装置６を取り扱いながら、遊技球の貸し出しを指示することができる。
【０１０８】
また、本実施形態では、遊技機１００の横に取り付けられたときに露出する前面の突出部に無線通信部４０３を形成するようにした。したがって、遊技媒体貸出装置４をシンプルな構造にすることができると共に、遊技者が扱いやすい構造にすることができる。更に、遊技媒体貸出装置４のメンテナンスも容易に行うことができる。
【０１０９】
また、本実施形態では、遊技媒体貸出装置４に対応して設けられている遊技機１００の扉１２７が最大角度で回動しても、扉１２７が支持している透明板１２６が、遊技媒体貸出装置４の前面に形成された突出部（無線通信部４０３）に接触しないようにした。したがって、遊技機１００の扉１２７に設けられている透明板１２６が、突出部（無線通信部４０３）と接触して破損してしまうことを防止することができる。
【０１１０】
また、本実施形態では、カード挿入口５０２に挿入された非接触ＩＣカード６Ａと、アンテナ５０１とが、遊技媒体貸出装置４（無線通信部４０３）の内部で概ね互いに対向する位置に配置されるようにした。したがって、非接触ＩＣカード６Ａと、アンテナ５０１とが遊技媒体貸出装置４（無線通信部４０３）の内部で無線通信を行うことができる。よって、遊技媒体貸出装置４（アンテナ５０１）と非接触ＩＣカード６Ａとの無線通信を、より安定して行うことができる。
【０１１１】
また、本実施形態では、テンキー４０５に正規の暗証番号が入力されると、カード挿入口５０２に挿入された非接触ＩＣカード６Ａをロックして、遊技者が非接触ＩＣカード６Ａを取り出すことができない（困難になる）ようにした。そして、テンキー４０５に正規の暗証番号が再度入力されてから、非接触ＩＣカード６Ａのロックを解除するようにした。したがって、非接触ＩＣカード６Ａの盗難を防止することができる。
【０１１２】
また、本実施形態では、カード挿入口５０２に挿入された場合に、非接触ＩＣカード６Ａの一部が、カード挿入口５０２からはみ出る（露出する）ようにすると共に、カード挿入口５０２に挿入された非接触ＩＣカード６Ａを外部から（遊技者が）視認できるように、無線通信部４０３の少なくとも一部を透明又は半透明の部材で構成した。したがって、非接触ＩＣカード６Ａがカード挿入口５０２に挿入されていることを遊技者に認識させ易くすることができ、非接触ＩＣカード６Ａの置き忘れを抑制することができる。
【０１１３】
また、本実施形態では、遊技者が、カード挿入口５０２内に非接触ＩＣカード６Ａを手動で載置させるようにしている。したがって、引き込み機構の不具合等により、カード挿入口５０２内に挿入された非接触ＩＣカード６Ａが取り出せなくなってしまったり、破損してしまったりする等のトラブルを（ジャム等のトラブルを）抑制することができる。
【０１１４】
そして、本実施形態では、以上のような遊技媒体貸出装置４を用いて遊技システムを構成した。この遊技システムでは、遊技媒体貸出装置４が、電子マネーとしての機能を有する無線通信装置６と無線通信を行うようにする。そして、同一の店舗５内に設置した遊技媒体貸出装置４を管理する店舗サーバ３を各店舗５に設置すると共に、複数の店舗５に設置された店舗サーバ３を管理するセンタサーバ１を設置する。
【０１１５】
店舗サーバ３は、自身が設置されている店舗５で遊技している遊技者が所有する無線通信装置６の利用限度額情報と利用金額情報とを、センタサーバ１から取得して管理する。遊技媒体貸出装置４は、無線通信によりアクセスのあった無線通信装置６の利用限度額情報と利用金額情報とを、店舗サーバ３から取得する。そして、遊技媒体貸出装置４は、取得した利用金額情報と利用限度額情報とを比較した結果に基づいて、その無線通信装置６における電子マネーの機能を利用して遊技球の貸し出しを行えるか否かを判定する。そして、遊技球の貸し出しを行える場合、遊技媒体貸出装置４は、遊技球の貸し出しに対する決済をし、遊技球を貸し出す。一方、遊技球の貸し出しを行える場合、遊技媒体貸出装置４は、そのことを報知する。
【０１１６】
このように、各店舗５の店舗サーバ３は、遊技者が所有する無線通信装置６の情報を複数の店舗５に亘って管理しているセンタサーバ１から、自身が管理している店舗５で遊技をしている遊技者が所有する無線通信装置６の情報を取得して管理する。よって、同一の店舗５内で遊技を行う遊技機を変えたり、異なる店舗５で遊技を行ったりした場合であっても、無線通信装置６による遊技球の貸し出しを適切に制限することが可能になる。したがって、のめり込みを従来よりも適切に抑制することができる。
【０１１７】
また、ある店舗５において、無線通信装置６と遊技媒体貸出装置４とが本日初めて通信を行った場合、その無線通信装置６の利用限度額情報及び利用金額情報は、その店舗５の店舗サーバ３にない。このような場合、本実施形態では、その無線通信装置６の利用限度額情報及び利用金額情報が店舗サーバ３で取得されるのを待たずに、遊技媒体貸出装置４が決済を行うようにした。したがって、遊技媒体貸出装置４と無線通信装置６とが無線通信を行ってから遊技球が貸し出されるまでの時間が長くなることを抑制することができ、遊技者に不快感を与えてしまうことを防止できる。尚、このようにした場合には、無線通信装置６における利用限度額を超えて遊技球を貸し出してしまう虞がある。しかしながら、遊技者ののめり込みを防止するという観点からすると、最初の１回だけであれば、利用限度額を超えて遊技球を貸し出すようにしても大きな問題はない。
【０１１８】
また、本実施形態では、店舗サーバ３及びセンタサーバ１が、無線通信装置６における利用金額情報を随時更新するようにしたので、無線通信装置６における最新の利用金額を、店舗サーバ３及びセンタサーバ１がリアルタイムで管理することができる。
【０１１９】
また、本実施形態では、無線通信装置６における電子マネーの残高が、予め設定された遊技媒体貸し出し単位に基づく金額（本実施形態では１０００円）以上である場合であって、無線通信装置６との通信が開始された後に（例えば無線通信装置６と通信がなされている間に）、遊技者により球貸出ボタン１３４が操作された場合に、遊技媒体貸し出し単位で、遊技球の貸し出しに対する決済を行い、遊技球を貸し出すようにした。したがって、遊技者が遊技球の貸し出しを意図していない場合に、遊技球が貸し出されてしまうことを抑制することができ、電子マネーとしての機能を有する無線通信装置６を用いた場合の遊技球の貸し出しを適正に行うことが可能になる。
【０１２０】
尚、本実施形態では、ＩＣカードロック機構６０９が、ゴム状の板を、非接触ＩＣカード６Ａの両側から挟むことにより、カード挿入口５０２内に置かれた非接触ＩＣカード６Ａをロックするようにしたが、非接触ＩＣカード６Ａをロックする方法は、このようなものに限定されない。例えば、カード挿入口５０２に挿入された場合に、非接触ＩＣカード６Ａの一部が、カード挿入口５０２からはみ出ない（露出しない）ようにした場合には、カード挿入口５０２の一部を塞ぐ機構を用いて、非接触ＩＣカード６Ａをロックしてもよい。また、ホルダー５０３内に置かれた無線通信装置６を遊技者が取り外し不能（取り外し困難）にするための機構を設けて、ホルダー５０３内に置かれた無線通信装置６を、遊技者が取り外し不能（取り外し困難）となるようにしてもよい。
【０１２１】
また、本実施形態のように、遊技者が、カード挿入口５０２内に非接触ＩＣカード６Ａを手動で載置させるようにすれば、ジャム等のトラブルを抑制することができるので好ましいが、必ずしもこのようにする必要はない。すなわち、カード挿入口５０２に挿入された非接触ＩＣカード６Ａをカード挿入口５０２内の所定の位置に自動的に引き込むため（挿入するため）の引き込み機構を無線通信部４０３に設けるようにしてもよい。このようにした場合には、アンテナ５０１の通信範囲に非接触ＩＣカード６Ａを確実に引き込む（挿入する）ことができ、遊技媒体貸出装置４（アンテナ５０１）と非接触ＩＣカード６Ａとを安定して無線通信させることができる。
【０１２２】
また、遊技媒体貸出装置４は、テンキー４０５の操作により、無線通信装置６の暗証番号として正規の暗証番号が入力されてから決済するようにしてもよい。このようにする場合には、例えば、ステップＳ１８の前に、無線通信装置６の暗証番号の入力を遊技者に促す処理と、無線通信装置６の暗証番号として正規の暗証番号が入力されたか否かを判定する処理とを行い、無線通信装置６の暗証番号として正規の暗証番号が入力された場合には、ステップＳ１８に進み、そうでない場合にはステップＳ１４に進むようにすることができる。このようにすれば、無線通信装置６が不正に利用されてしまうことをより確実に抑制することができる。
【０１２３】
更に、本実施形態では、無線通信装置６が、非接触ＩＣカード６Ａ及び携帯電話６Ｂである場合を例に挙げて示したが、電子マネーとしての機能を備えたＩＣチップと、無線通信を行うアンテナとを備えたものであれば、無線通信装置６は、これらに限定されるものではない。また、無線通信装置６は、クレジットカードとしての機能を備えるものでもよい。
【０１２４】
また、本実施形態では、遊技機１００がパチンコ機であり、遊技媒体が遊技球である場合を例に挙げて示したが、遊技機１００及び遊技媒体はこれらに限定されない。例えば、遊技機１００がスロットマシンであり、遊技媒体がメダルであってもよい。
【０１２５】
また、店舗サーバ３からセンタサーバ１に送信する情報に、その情報がどの店舗サーバ３からの情報かを識別する情報を付加するようにしてもよい。このようにした場合、例えば、センタサーバ１は、どの無線通信装置６がどの店舗５の遊技媒体貸出装置４と無線通信を行っているのかを把握することが可能になる。
【０１２６】
また、本実施形態では、遊技媒体貸出装置４が、無線通信装置６における利用限度額情報及び利用金額情報を記憶するようにしたが、必ずしもこのようにする必要はない。例えば、無線通信装置６と無線通信を行う度に、その無線通信装置６における利用限度額情報及び利用金額情報を店舗サーバ３から取得するようにしてもよい。このようにすれば、無線通信装置６における利用限度額情報及び利用金額情報を記憶する必要がなくなる。このようにする場合、例えば、図１０のステップＳ１６において、無線通信装置６における利用限度額情報及び利用金額情報の取得を店舗サーバ３に依頼し、依頼してから一定時間以内に、その無線通信装置６における利用限度額情報及び利用金額情報を取得できたか否かを判定する。この判定の結果、無線通信装置６における利用限度額情報及び利用金額情報を取得できた場合には、ステップＳ１７に進み、そうでない場合には、ステップＳ１７を省略してステップＳ１８に進むようにする。
【０１２７】
また、本実施形態では、球貸出ボタン１３４を遊技機１００に設けた場合を例に挙げて説明したが、球貸出ボタンを遊技媒体貸出装置４に設けるようにしてもよい。この場合には、遊技機１００が球貸出ボタン操作信号を生成して遊技媒体貸出装置４に送信する処理が不要になる。
また、本実施形態では、遊技媒体貸出装置４から、球皿ユニット１２８に設けられた球皿１２８ａに遊技球を送り出すことにより遊技球を貸し出す場合を例に挙げて説明したが、必ずしもこのようにする必要はない。例えば、遊技媒体貸出装置４が遊技球を貸し出すと判断した場合に、遊技媒体貸出装置４が遊技球貸し出し指示信号を生成して、遊技機１００に送信する。そして、遊技球貸し出し指示信号を受信した遊技機１００が、遊技機１００の内部に送り込まれている遊技球の中から、貸し出し単位に応じた数の遊技球を、球皿ユニット１２８に設けられた球皿１２８ａに送り出すようにしてもよい。
【０１２８】
また、センタサーバ１、店舗サーバ３、遊技媒体貸出装置４、及び遊技機１００の数は、図１に示したものに限定されない。例えば、１つの店舗５に店舗サーバ３が複数あってもよい。このようにした場合、１つの店舗５内にある複数の店舗サーバ３は、遊技媒体貸出装置４により貸し出される遊技媒体の種類毎に、遊技媒体貸出装置４を管理するようにすることが可能になる。例えば、１つの店舗５内にある一方の店舗サーバ３は、遊技球を貸し出す遊技媒体貸出装置４を管理し、他方の店舗サーバ３は、メダルを貸し出す遊技媒体貸出装置４を管理することができる。
【０１２９】
以上説明した本発明の各実施形態は、コンピュータがプログラムを実行することによって実現することができる。また、プログラムをコンピュータに供給するための手段、例えばかかるプログラムを記録したＣＤ−ＲＯＭ等のコンピュータ読み取り可能な記録媒体、又はかかるプログラムを伝送する伝送媒体も本発明の実施の形態として適用することができる。また、前記プログラムを記録したコンピュータ読み取り可能な記録媒体等のプログラムプロダクトも本発明の実施の形態として適用することができる。上記のプログラム、コンピュータ読み取り可能な記録媒体、伝送媒体及びプログラムプロダクトは、本発明の範疇に含まれる。
また、前述した実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【０１３０】
【図１】本発明の実施形態を示し、遊技システムの構成の一例を示す図である。
【図２】本発明の実施形態を示し、遊技機の外観構成の一例を示す正面図である。
【図３】本発明の実施形態を示し、遊技媒体貸出装置の外観構成の一例を示す正面図である。
【図４】本発明の実施形態を示し、遊技媒体貸出装置に設けられた無線通信部４０３の外観構成の一例を示す斜視図である。
【図５】本発明の実施形態を示し、遊技媒体貸出装置のシステム構成の一例を示すブロック図である。
【図６】本発明の実施形態を示し、センタサーバ及び店舗サーバのシステム構成の一例を示す図である。
【図７】本発明の実施形態を示し、遊技媒体貸出装置の機能的な構成の一例を示す機能ブロック図である。
【図８】本発明の実施形態を示し、店舗サーバの機能的な構成の一例を示す機能ブロック図である。
【図９】本発明の実施形態を示し、センタサーバの機能的な構成の一例を示す機能ブロック図である。
【図１０】本発明の実施形態を示し、遊技媒体貸出装置における処理動作の一例を説明するフローチャートである。
【図１１】本発明の実施形態を示し、店舗サーバにおける処理動作の一例を説明するフローチャートである。
【図１２】本発明の実施形態を示し、センタサーバにおける処理動作の一例を説明するフローチャートである。
【符号の説明】
【０１３１】
１  センタサーバ
２  ネットワーク
３  店舗サーバ
４  遊技媒体貸出装置
５  店舗
６  無線通信装置
６Ａ  非接触ＩＣカード
６Ｂ  携帯電話
１００  遊技機
１３４  球貸出ボタン
４０３  無線通信部
４０５  テンキー
５０１  アンテナ
５０２  カード挿入口
５０３  ホルダー
【図１】
2008220697.tif 000003
【図２】
2008220697.tif 000004
【図３】
2008220697.tif 000005
【図４】
2008220697.tif 000006
【図５】
2008220697.tif 000007
【図６】
2008220697.tif 000008
【図７】
2008220697.tif 000009
【図８】
2008220697.tif 000010
【図９】
2008220697.tif 000011
【図１０】
2008220697.tif 000012
【図１１】
2008220697.tif 000013
【図１２】
2008220697.tif 000014